(57)【特許請求の範囲】
【請求項１】
バーナ本体の炎孔が形成される部分の下方に混合室が形成されると共に、前記混合室から側方に突出するように混合管が連通接続されるコンロバーナと、ガス導管と、をコンロ本体内に備え、前記コンロ本体に固定された前記ガス導管の先端のガスノズルが空気供給用間隙を介して前記混合管の流入開口内に挿入されるように前記バーナ本体を前記コンロ本体に固定するガスコンロであって、前記コンロ本体における前記ガスノズルの噴射方向に隔たる二箇所のうちの噴射方向上流側であって且つ前記ガスノズルの下流端よりも上流側の箇所に、前記混合管における前記混合室からの突出方向に隔たる二箇所のうちの先端側の箇所の上面が下方より当接して前記混合管の上方への移動を規制する上方向規制部を設け、前記コンロ本体の前記二箇所のうちの噴射方向下流側の箇所に、前記混合管の前記二箇所のうちの基端側の箇所の下面が上方より当接して前記混合管の下方への移動を規制する下方向規制部を設けて成ることを特徴とするガスコンロ。
【請求項２】
複数の前記混合管を複数の異なるピッチで設けることが可能なように、各ピッチで用いられる前記複数の混合管に対応する上方向規制部及び下方向規制部を全ピッチ分形成したバーナ固定具を備えて成ることを特徴とする請求項１記載のガスコンロ。
【請求項３】
上方向規制部は、上方向当接部の上側にのみ存在してガス導管の上側の部分は欠損するように形成されることを特徴とする請求項１又は２記載のガスコンロ。
【発明の詳細な説明】
【技術分野】
【０００１】
本発明は、ガスコンロに関するものである。
【背景技術】
【０００２】
従来のガスコンロは、コンロバーナがその混合室や混合管から略水平に連設される平坦部を備え、混合管が突出されていない側の平坦部は、コンロ本体に固定される取付金具を介して取り付けられる。取付金具には、上方に起立するガイドが設けられており、コンロバーナの平坦部に形成された上下に貫通する孔に前記ガイドが挿入される。また混合管の先端は、前述した取付金具のような部材により固定されるのではなく、ガス供給管の先端に設けられた流量調節部により支持されているだけである（例えば特許文献１参照）。
【０００３】
そのため、天板上に露出するバーナ本体やバーナキャップに外部からの力が作用して、取付金具近傍を中心として混合管に回転力がかかってしまうと、流量調節部やガス供給管に上下方向の力が作用する惧れがあるものである。
【先行技術文献】
【特許文献】
【０００４】
【特許文献１】特開平８−１４５６９公報（第２頁、図３乃至図５）
【発明の概要】
【発明が解決しようとする課題】
【０００５】
そこで、天板上に露出するバーナ本体やバーナキャップに外部からの力が作用して、取付金具近傍を中心とする回転力が混合管にかかっても混合管が回転しないように、混合管の先端近傍の平坦部を、上述した取付金具を介してコンロ本体に固定することが考えられるが、この場合、以下のように支障をきたすものであった。
【０００６】
すなわち、コンロバーナの平坦部に形成した孔に取付金具のガイドを挿入する必要があるが、その際、コンロバーナを上から略真下方向に下降させる必要がある。しかしながら、混合管の先端の空気の流入開口には、横方向にガス供給管の先端が挿入される必要があり、コンロバーナを上から略真下方向に下降させるとガス供給管と混合管とが干渉してしまうため、コンロバーナを上から略真下方向に下降させて取り付けることはできないものであった。
【０００７】
本発明は上記従来の問題点に鑑みて発明したものであって、その目的とするところは、混合管の流入開口にガス導管を挿入し易いと共に、混合管の先端が上下に移動するのを規制することができるガスコンロを提供することを課題とするものである。
【課題を解決するための手段】
【０００８】
上記課題を解決するために、請求項１に係る発明は、バーナ本体１の炎孔１３が形成される部分の下方に混合室１１が形成されると共に、前記混合室１１から側方に突出するように混合管１２が連通接続されるコンロバーナＢと、ガス導管３と、をコンロ本体２内に備え、前記コンロ本体２に固定された前記ガス導管３の先端のガスノズル３０が空気供給用間隙を介して前記混合管１２の流入開口１２ｂ内に挿入されるように前記バーナ本体１を前記コンロ本体２に固定するガスコンロであって、前記コンロ本体２における前記ガスノズル３０の噴射方向に隔たる二箇所のうちの噴射方向上流側であって且つ前記ガスノズル３０の下流端よりも上流側の箇所に、前記混合管１２における前記混合室１１からの突出方向に隔たる二箇所のうちの先端側の箇所の上面１４が下方より当接して前記混合管１２の上方への移動を規制する上方向規制部６１を設け、前記コンロ本体２の前記二箇所のうちの噴射方向下流側の箇所に、前記混合管１２の前記二箇所のうちの基端側の箇所の下面１５が上方より当接して前記混合管１２の下方への移動を規制する下方向規制部６２を設けて成ることを特徴とする。
【０００９】
これにより、混合管１２の先端が下側となるように傾けながら、混合管１２の先端を、ガスノズル３０の噴出方向下流側から上流側に向けてガス導管３の下側に挿入し、流入開口１２ｂ内にガスノズル３０を挿入させて、混合管１２の先端を上方向規制部６１の下側に位置させ、混合管１２が水平となる方向に回動し、上方向当接部１４を上方向規制部６１に当接させると共に、下方向当接部１５を下方向規制部６２に当接させることができるため、混合管１２の先端の流入開口１２ｂに横方向からガス導管３を挿入し易いと共に、混合管１２が上下に移動するのを規制することができる。
【００１０】
また請求項２に係る発明は、請求項１に係る発明において、複数の前記混合管１２を複数の異なるピッチで設けることが可能なように、各ピッチで用いられる前記複数の混合管１２に対応する上方向規制部６１及び下方向規制部６２を全ピッチ分形成したバーナ固定具６を備えて成ることを特徴とする。
【００１１】
これにより、混合管１２の複数種類のピッチに対応する上方向規制部６１及び下方向規制部６２を、同一のバーナ固定具６を取り付けるだけで形成することができ、バーナ固定具６を製造するための金型が共用できてコスト低減を図ることができる。
【００１２】
また請求項３に係る発明は、請求項１又は２に係る発明において、上方向規制部６１は、上方向当接部１４の上側にのみ存在してガス導管３の上側の部分は欠損するように形成されることを特徴とする。
【００１３】
これにより、ガス導管３と上方向規制部６１とが干渉しないため、取り付けの際に邪魔になることがない。
【発明の効果】
【００１４】
本発明においては、バーナ本体のコンロ本体への装着を容易に行うことができ、かつ、バーナ本体をコンロ本体に堅固に固定でき、天板上に露出するバーナ本体のバーナキャップ載置部やバーナキャップに外部から種々の力が作用した場合でも、バーナ本体がずれるなどの不都合が生じない。
【図面の簡単な説明】
【００１５】
【図１】本発明の一実施形態のガスコンロの全体斜視図である。
【図２】同上のガスコンロ（第１位置機種）の天板及び向かって右側のコンロバーナを除いた斜視図である。
【図３】同上のガスコンロの燃料ガスの流路構成を示す説明図である。
【図４】同上のコンロバーナを示し、（ａ）はバーナ本体を上方より見た斜視図であり、（ｂ）はバーナキャップを上方より見た斜視図であり、（ｃ）はバーナキャップを下方より見た斜視図である。
【図５】同上においてコンロバーナをコンロ本体へ取り付ける前の状態を上斜め後方より見た要部斜視図である。
【図６】同上においてコンロバーナをコンロ本体へ取り付けた後の状態を上斜め後方より見た要部斜視図である。
【図７】同上においてコンロバーナをコンロ本体へ取り付けた後の状態を上斜め前方より見た要部斜視図である。
【図８】バーナ固定具を示し、（ａ）は平面図であり、（ｂ）は正面図であり、（ｃ）は背面図である。
【図９】第２位置機種のガスコンロの天板及び向かって右側のコンロバーナを除いた斜視図である。
【発明を実施するための形態】
【００１６】
以下、本発明を添付図面に示す実施形態に基いて説明する。本実施形態においては、ガスコンロとして一般的に広く利用されているグリル付きコンロについて説明するが、グリルを備えていないガスコンロであってもよい。また、キッチンカウンターにビルトインされるもの、されないもののいずれであってもよい。
【００１７】
ガスコンロは、図１、図２に示すように、少なくとも上方に開口する箱状をした筐体からなるコンロ本体２と、コンロ本体２の上方への開口を閉塞しガスコンロの天面部となるガラス製の天板２０と、で外殻が構成される。
【００１８】
天板２０にはコンロバーナＢを備えた加熱部が複数設けてある。図１に示す実施形態では、手前の左側の高火力コンロバーナＢ１、中央の奥の小火力コンロバーナＢ２、手前の右側の高火力コンロバーナＢ３をそれぞれ備えた計三個の加熱部が設けてある。コンロバーナＢについては後述する。
【００１９】
ガスコンロ内にはグリルバーナを備えたグリル庫が設けてあり、グリル庫の前開口は、ガスコンロの前面に設けたグリル扉２１によって開閉自在に閉塞される。
【００２０】
ガスコンロの前面部を構成する前面パネル２２には、各加熱部を操作するための操作部２３が設けてある。便宜上、前面パネル２２が設けられている方を前方とし、左右はそれぞれ前方より後方を見た時の左右とする。
【００２１】
各操作部２３は、対応するコンロバーナＢの点火及び消火の切り替えや火力調節を指令するものであり、これを受けて制御部が各コンロバーナＢの点消火の切り替えや火力調節を行うと共に、コンロバーナＢ毎に、調理タイマーモード、湯沸しモード、炊飯モード等の自動調理モードを設定できるようになっている。
【００２２】
制御部は、マイクロコンピュータからなるもので、各バーナ（コンロバーナＢ、グリルバーナ）に設けてある燃焼検出手段としての熱電対４３（図３参照）の起電力が入力され、制御部は入力された起電力が所定値（例えば３．５ｍＶ）以上になったときに、燃焼を認識する。
【００２３】
図３に示すように、都市ガス等の燃料ガスを供給するガス供給路４から、各コンロバーナＢ及びグリルバーナに燃料を供給するためのガス導管３が分岐されている。
【００２４】
各ガス導管３には、通電により開弁が保持され、通電が止まると閉弁する元電磁弁４１が設けられると共に、通過する燃料の量を制御する流量制御弁４２と、前記流量制御弁４２を駆動する駆動手段が設けられる。駆動手段としては、開度位置の微調整が可能なステッピングモータが好適に用いられるが、特に限定されない。また各ガス導管３には、先端にシール材を介してガスノズル３０が螺着等により設けられる。
【００２５】
操作部２３を操作して制御部に点火の指令を送ると、指令を受けた制御部は、ガス導管３の元電磁弁４１を開き、且つ任意のコンロバーナＢ又はグリルバーナに対応する流量制御弁４２を所定開度で開くと共に点火プラグ４５をスパークさせ、コンロバーナＢ又はグリルバーナを点火する。これにより、コンロバーナＢの炎により加熱部上に載置した被加熱物を加熱したり、グリルバーナの炎によりグリル庫内の肉や魚を焼くことができる。
【００２６】
コンロバーナＢについて図２、図４等に基づいて説明する。コンロバーナＢは、バーナ本体１内に形成される略円環状をした混合室１１の上にバーナキャップ１０を着脱自在に載置して主体が構成されている。バーナ本体１は、本実施形態では、ＳＵＳ鋼板を絞り加工して、外筒と内筒とその間の底部とで囲まれる平面視略円環状をした空間（この上に載置されるバーナキャップ１０により閉塞されて混合室１１となる）を形成してあるが、バーナ本体１をアルミダイキャストや一般的な鋳造により形成してもよい。
【００２７】
図４に示すように、バーナキャップ１０は、下面に放射状に複数の炎孔用溝１０ａを凹設してあり、バーナキャップ１０をバーナ本体１の上端のバーナキャップ載置部上に載置することにより、バーナ本体１の上端面と炎孔用溝１０ａとで囲まれる炎孔１３（図２等参照）が形成されるようになっている。炎孔１３には、炎孔１３の周囲の空気が燃焼用の二次空気として供給される他、バーナ本体１の中央の透孔を通っても燃焼用の二次空気が供給されるようになっている。
【００２８】
このコンロバーナＢは、天板２０に形成された開口を介して天板２０上に露出させてあり、バーナ本体１と天板２０の前記開口縁との間に円環状のバーナリングＲ（図１参照）が介装してあり、天板２０から煮汁等が下に落ちるのを防止している。コンロバーナＢは、加熱部に載置される被加熱物としての調理用鍋の鍋底に当接して温度を検知する温度センサ４６を具備しており、バーナ本体１の中央の透孔から上方に露出している。
【００２９】
バーナ本体１は、混合管１２を一体的に有するものである。本実施形態では、混合室１１を形成する外筒から管本体１２ａを突出すると共に、混合室１１の側面及び管本体１２ａの長手方向略全長に亘る両側面から略水平な板状をした平坦片１６を連設し、更に、該平坦片１６から管本体１２ａよりも先端側に別部材からなる略水平な板状をした平坦部材５０をかしめや溶接等により固定して一体的に延設し、平坦片１６と平坦部材５０とで概ね連続する平坦部５を構成している。なお、本実施形態のように平坦片１６と該平坦片１６とは別の平坦部材５０をかしめや溶接により固定して一体的な平坦部５を構成するのではなく、一部材で平坦部５を形成してもよい。
【００３０】
管本体１２ａの先端（上流端）には、流入開口１２ｂ（図５参照）が形成され、この流入開口１２ｂに一次空気が挿通可能な空気供給用間隙１２ｃ（図６参照）をあけてガスノズル３０が挿入される。平坦部材５０は、管本体１２ａよりも先端側に位置しているが、前記流入開口１２ｂに対応する箇所から管本体１２ａの上流側に、ガス導管３が没入可能なようにガス導管３の径と略同径かあるいは若干大きい径のガス導管没入用凹溝５１が形成してある。更に、ガス導管没入用凹溝５１には、長手方向（没入されるガス導管３の長手方向）の一部に周方向に長い長穴状の開口５２が形成してあり、ガス導管没入用凹溝５１と長穴状の開口５２とでガス導管固定部が構成される。また、図２、図５に示すように、ガス導管３の流れ方向の一部の周方向に前記長穴状の開口５２に嵌入される位置決め用突条３１が形成されている。
【００３１】
コンロ本体２には、図５、図６に示すように、バーナ本体１の混合管１２を支持して固定するバーナ固定具６と、バーナ本体１の混合室１１を支持して固定するバーナ受け桟７とが設けられる。
【００３２】
バーナ固定具６は、図８に示すように、固定具本体６０と、該固定具本体６０に設けられる、混合管１２の上方への移動を規制する上方向規制部６１と、混合管１２の下方への移動を規制する下方向規制部６２と、を備えている。固定具本体６０は、コンロ本体２にかしめや溶接やビス留め等により固定されるもので、本実施形態ではコンロ本体２をなす筐体の対向する内側面に架設されている。上方向規制部６１と下方向規制部６２は、コンロ本体２においてガスノズル３０の噴射方向に隔たる二箇所に設けられるもので、上方向規制部６１は、前記二箇所のうちの噴射方向上流側の箇所に設けられ、下方向規制部６２は、前記二箇所のうちの噴射方向下流側の箇所に設けられる。本実施形態では、固定具本体６０から上方に立設片６３が突設されると共に、立設片６３から側方に当接片６４が連設され、この当接片６４の下面が上方向規制部６１となる。また、固定具本体６０から上方に立設片６５が突設され、この立設片６５の上面が下方向規制部６２となる。上方向規制部６１と下方向規制部６２は、混合管１２の前記混合室１１からの突出方向に隔たる二箇所にそれぞれ当接するもので、本実施形態では、前記二箇所のうち突出方向先端側の箇所の上面１４である上方向当接部（以下、上方向当接部１４とする）が上方向規制部６１に当接し、前記二箇所のうち突出方向基端側の箇所の下面１５である下方向当接部（以下、下方向当接部１５とする）が下方向規制部６２に当接する。また、図４乃至図６に示すように、平坦部５（本実施形態では平坦部材５０）の上方向当接部１４の側方の角部には切欠５３が形成されている。
【００３３】
バーナ受け桟７は、コンロ本体２にかしめや溶接やビス留め等により固定されるもので、本実施形態ではコンロ本体２をなす筐体の対向する内側面に架設されている。そして、混合室１１がバーナ受け桟７に支持されて固定されるもので、固定は、図６に示すように、混合室１１の側面から連設される平坦片１６の混合室１１の両側の所定位置に形成された二つのねじ挿通孔１７にそれぞれねじ部材１８を挿通してバーナ受け桟７に形成された螺着孔７１（図５参照）に螺着するものである。この時、点火プラグ４５及び温度センサ４６が取り付けられる取付金具８１をバーナ受け桟７と平坦片１６との間に挟持して固定する。また、熱電対４３が取り付けられる取付金具８２をかしめや溶接等により平坦片１６に固定する。
【００３４】
本実施形態では、バーナ固定具６は、三個のコンロバーナＢのうち、両側の二個のコンロバーナＢ（高火力コンロバーナＢ１、Ｂ３）を固定するようになっており、この二個のコンロバーナＢそれぞれに対応する上方向規制部６１及び下方向規制部６２が設けられる。この二個のコンロバーナＢは第１のピッチ（混合管１２の中心間距離の３００ｍｍ）又は第２のピッチ（混合管１２の中心間距離の３５０ｍｍ）のいずれかのピッチで設けられるようになっており、バーナ固定具６における上方向規制部６１及び下方向規制部６２は前記第１のピッチ及び第２のピッチで設けられる。便宜上、二個のコンロバーナＢが第１のピッチで設けられる機種を第１位置機種とすると共に、第２のピッチで設けられる機種を第２位置機種とし、図２に示すように、第１位置機種用の上方向規制部６１ａ及び下方向規制部６２ａが第１のピッチで、第２位置機種用の上方向規制部６１ｂ及び下方向規制部６２ｂが第２のピッチで、それぞれ設けられる。また、図４に示すように、第１位置機種用の上方向当接部１４ａ及び下方向当接部１５ａ、第２位置機種用の上方向当接部１４ｂ及び下方向当接部（図示せず）がそれぞれ設けられる。
【００３５】
以下、第１位置機種におけるコンロバーナＢのコンロ本体２への取り付けについて図５乃至図７に基づいて説明する。コンロ本体２には、コンロバーナＢの取り付けに先立って、上述したバーナ固定具６、バーナ受け桟７、ガス導管３が所定位置に取り付けられる。
【００３６】
そして、コンロバーナＢを組み込んで固定するには、まず、図５に示すように、混合管１２の先端（本実施形態では平坦部材５０の上方向当接部１４ａ側の端部）が下側となるように傾けながら、混合管１２の先端を、ガスノズル３０の噴出方向下流側から上流側に向けてガス導管３の下側に挿入する。そして、混合管１２の先端を当接片６４の下側に位置させ、切欠５３の端縁を当接片６４に当接させ、この部分を中心軸として回動させて、図６、図７に示すように、ガス導管３をガス導管没入用凹溝５１に没入させると共に長穴状の開口５２に位置決め用突条３１を嵌入させ、上方向当接部１４ａを上方向規制部６１ａに当接させ、下方向当接部１５ａを下方向規制部６２ａに当接させる。この状態において、混合管１２の上方への移動及び下方への移動が規制される。ガス導管３は、ガス導管没入用凹溝５１に没入するため、ガス導管３の平坦部５に対する左右方向への相対的な移動が規制され、位置決め用突条３１が長穴状の開口５２に嵌入するため、ガス導管３の平坦部５に対する前後方向への相対的な移動が規制される。
【００３７】
なお、図８に示すように、バーナ固定具６の第１位置機種用の上方向規制部６１ａと第２位置機種用の上方向規制部６１ｂとの間であれば、バーナ本体１は左右方向に移動可能である。
【００３８】
そして、ねじ挿通孔１７にねじ部材１８を挿通してバーナ受け桟７に形成された螺着孔７１に螺着し、平坦部５をバーナ受け桟７に固定する。またガス導管３は、平坦部５に帯状金属板や金属線材等の固定バンド（図示せず）により固定することで、平坦部５に対する上方向への相対的な移動が規制される。また、ガスノズル３０は、混合管１２の流入開口１２ｂに空気供給用間隙１２ｃをあけて挿入された状態となる。
【００３９】
以下、天板２０上に露出したバーナ本体１に力が作用する場合について説明する。
（１）天板２０上に露出したバーナ本体１に左右方向の力が作用した場合、バーナ本体１の平坦部５の混合室１１の左右両側の二箇所がねじ部材１８により固定されているため、バーナ本体１は動かずその位置が維持される。
（２）天板２０上に露出したバーナ本体１に前後方向の力が作用した場合、バーナ本体１の平坦部５のねじ部材１８により固定されている二箇所を中心として、天板２０上に露出したバーナ本体１を前倒し、又は、後倒しに回動させようとするモーメントが生じるが、前倒しに回動させようとするモーメントが生じても上方向規制部６１によりバーナ本体１の平坦部５の上側への移動が規制されているからバーナ本体１は動かずその位置が維持され、また、後倒しに回動させようとするモーメントが生じても下方向規制部６２によりバーナ本体１の平坦部５の下側への移動が規制されているからバーナ本体１は動かずその位置が維持される。
（３）天板２０上に露出したバーナ本体１に平面視における回動力が作用した場合、バーナ本体１の平坦部５の混合室１１の左右両側の二箇所がねじ部材１８により固定されているため、バーナ本体１は動かずその位置が維持される。
【００４０】
また本実施形態では、図６、図７に示すように、上方向規制部６１ａは、上方向当接部１４ａの上側にのみ存在してガス導管３の上側の部分は欠損するように構成されているため、ガス導管３と上方向規制部６１とが干渉しないため、ガス導管３や上方向規制部６１（すなわちバーナ固定具６）をコンロ本体２に取り付ける際に邪魔になることがない。
【００４１】
また、図９に示す第２位置機種の場合も、上記第１位置機種用の上方向当接部１４ａ、下方向当接部１５ａ、上方向規制部６１ａ、下方向規制部６２ａの代わりにそれぞれ第２位置機種用の上方向当接部１４ｂ、下方向当接部１５ｂ、上方向規制部６１ｂ、下方向規制部６２ｂを用いることで、第１位置機種の場合と同様に取り付けることができる。
【００４２】
なお、本実施形態においては、混合管１２のピッチは第１位置機種では３００ｍｍ、第２位置機種では３５０ｍｍであるが、特に数値は限定されないものである。また、ピッチの種類が２種類以上あってもよい。このように、混合管１２を複数の異なるピッチで設けることが可能なように、各ピッチの場合に用いられる上方向規制部６１及び下方向規制部６２をバーナ固定具６に全ピッチ分形成することで、一種類のバーナ固定具６を製造すれば全ピッチに対応することができて、バーナ固定具６を製造するための金型が共用できてコスト低減を図ることができる。
【００４３】
また、本実施形態においては左右の高火力コンロバーナＢ１、Ｂ３は、ガス燃料の上流側が背方、下流側が前方となり、中央の小火力コンロバーナＢ２は、ガス燃料の上流側が前方、下流側が背方となっているが、向きは特に限定されず、斜めに配置されていてもよい。
【００４４】
上記構成とすることで、混合管１２の先端の流入開口１２ｂに横方向からガス導管３を挿入し易いと共に、混合管１２が上下に移動するのを規制することができる。これにより、バーナ本体１のコンロ本体２への装着を容易に行うことができ、かつ、バーナ本体１をコンロ本体２に堅固に固定でき、天板２０上に露出するバーナ本体１のバーナキャップ載置部やバーナキャップ１０に外部から種々の力が作用した場合でも、バーナ本体１がコンロ本体２に対してずれるなどの不都合が生じない。
【符号の説明】
【００４５】
１    バーナ本体
１０  バーナキャップ
１１  混合室
１２  混合管
１２ａ  管本体
１２ｂ  流入開口
１３  炎孔
１４  上方向当接部
１５  下方向当接部
１６  平坦片
２    コンロ本体
３    ガス導管
３０  ガスノズル
３１  位置決め用突条
４３  熱電対
４５  点火プラグ
４６  温度センサ
５    平坦部
５０  平坦部材
６    バーナ固定具
６０  固定具本体
６１  上方向規制部
６２  下方向規制部
７    バーナ受け桟
Ｂ    コンロバーナ
【図１】
0005690104.tif 000002
【図２】
0005690104.tif 000003
【図３】
0005690104.tif 000004
【図４】
0005690104.tif 000005
【図５】
0005690104.tif 000006
【図６】
0005690104.tif 000007
【図７】
0005690104.tif 000008
【図８】
0005690104.tif 000009
【図９】
0005690104.tif 000010